(57)【要約】【課題】１／ｎ段ステップで設定された露出制御パラメータの設定値を、ユーザがより直感的に把握可能な形式で表示する技術を提供する。【解決手段】絞り値、シャッター速度、ＩＳＯ感度の少なくとも１つの露出制御パラメータの設定値を１／ｎ段ステップ（ｎは８以上の整数）で設定可能な設定手段と、１／ｎ段ステップで設定された前記露出制御パラメータの設定値を、１段ステップでの数値と、１段未満の段数を示す段数表現とで表示するように制御する表示制御手段と、を有することを特徴とする電子機器を提供する。【選択図】図４
2019193229.tif 000002
【特許請求の範囲】
【請求項１】
絞り値、シャッター速度、ＩＳＯ感度の少なくとも１つの露出制御パラメータの設定値を１／ｎ段ステップ（ｎは８以上の整数）で設定可能な設定手段と、
１／ｎ段ステップで設定された前記露出制御パラメータの設定値を、１段ステップでの数値と、１段未満の段数を示す段数表現とで表示するように制御する表示制御手段と、
を有することを特徴とする電子機器。
【請求項２】
前記設定手段は、前記露出制御パラメータの設定値を１段ステップでも設定可能であり、
１／ｎ段ステップで設定された前記露出制御パラメータの設定値として表示される前記１段ステップでの数値の部分は、前記設定手段によって１段ステップで設定可能な値のうち、前記設定値以下で最も近い値であることを特徴とする請求項１に記載の電子機器。
【請求項３】
前記表示制御手段は、前記段数表現として、前記１段未満の段数を示す分数を表示するように制御する
ことを特徴とする請求項１または２に記載の電子機器。
【請求項４】
前記表示制御手段は、前記１段未満の段数を示す前記分数を、分母をｎとして約分せずに表示するように制御する
ことを特徴とする請求項３に記載の電子機器。
【請求項５】
前記表示制御手段は、前記１段未満の段数がｍ／ｎ（ｍは１以上ｎ未満の整数）である場合に、前記段数表現としてｍ個の指標を表示するように制御する
ことを特徴とする請求項１または２に記載の電子機器。
【請求項６】
前記設定手段での前記露出制御パラメータの設定値の設定ステップを１／２段ステップと１／３段ステップの少なくとも一方でも設定可能であり、
前記表示制御手段は、１／２段ステップまたは１／３段ステップで設定された前記露出制御パラメータの設定値は、１段未満の段数を示す前記段数表現を用いずに表示するように制御する
ことを特徴とする請求項１乃至５のいずれか１項に記載の電子機器。
【請求項７】
前記設定手段での前記露出制御パラメータの設定値の設定ステップを切り替える切替手段を更に有し、
前記露出制御パラメータの設定値が１／２段ステップまたは１／３段ステップで設定された状態から、前記設定手段の前記設定ステップが１／ｎ段ステップに切り替えられた場合、前記表示制御手段は、１／２段ステップまたは１／３段ステップで設定された前記設定値を変更することなく、前記設定値の表示形態を前記設定ステップの切り替え前から変更し、前記設定値を、１段ステップでの数値と、１段未満の段数を示す前記段数表現とで表示するように制御する
ことを特徴とする請求項６に記載の電子機器。
【請求項８】
前記露出制御パラメータは、絞り値である
ことを特徴とする請求項１乃至７のいずれか１項に記載の電子機器。
【請求項９】
前記１／ｎ段ステップで設定された絞り値の設定値を動画撮影に適用し、静止画撮影には前記１／ｎ段ステップで設定された絞り値の設定値を適用せずに、他の設定ステップで設定された絞り値を適用する
ことを特徴とする請求項８に記載の電子機器。
【請求項１０】
前記露出制御パラメータは、シャッター速度である
ことを特徴とする請求項１乃至７のいずれか１項に記載の電子機器。
【請求項１１】
前記露出制御パラメータは、ＩＳＯ感度である
ことを特徴とする請求項１乃至７のいずれか１項に記載の電子機器。
【請求項１２】
前記露出制御パラメータを用いて撮像を行う撮像装置と通信する通信手段を更に備え、
前記通信手段は、前記撮像装置が用いるための前記露出制御パラメータとして前記設定手段で設定された設定値を前記撮像装置に送信する
ことを特徴とする請求項１乃至１１のいずれか１項に記載の電子機器。
【請求項１３】
前記設定手段で設定された設定値に基づいた撮影を行う撮像手段を更に有する
ことを特徴とする請求項１乃至１２のいずれか１項に記載の電子機器。
【請求項１４】
絞り値、シャッター速度、ＩＳＯ感度の少なくとも１つの露出制御パラメータの設定値を１／ｎ段ステップ（ｎは２以上の整数）で設定可能な設定手段と、
１／ｎ段ステップで設定された前記露出制御パラメータの設定値を、１段ステップでの数値と、１段未満の段数を示す段数表現とで表示するように制御する表示制御手段と、
を有することを特徴とする電子機器。
【請求項１５】
絞り値、シャッター速度、ＩＳＯ感度の少なくとも１つの露出制御パラメータの設定値を１／ｎ段ステップ（ｎは８以上の整数）で設定可能な設定工程と、
１／ｎ段ステップで設定された前記露出制御パラメータの設定値を、１段ステップでの数値と、１段未満の段数を示す段数表現とで表示するように制御する表示制御工程と、
を有することを特徴とする電子機器の制御方法。
【請求項１６】
絞り値、シャッター速度、ＩＳＯ感度の少なくとも１つの露出制御パラメータの設定値を１／ｎ段ステップ（ｎは２以上の整数）で設定可能な設定工程と、
１／ｎ段ステップで設定された前記露出制御パラメータの設定値を、１段ステップでの数値と、１段未満の段数を示す段数表現とで表示するように制御する表示制御工程と、
を有することを特徴とする電子機器の制御方法。
【請求項１７】
コンピュータを、請求項１乃至１４のいずれか１項に記載の電子機器の各手段として機能させるためのプログラム。
【請求項１８】
コンピュータを、請求項１乃至１４のいずれか１項に記載の電子機器の各手段として機能させるためのプログラムを記録したコンピュータが読み取り可能な記憶媒体。
【発明の詳細な説明】
【技術分野】
【０００１】
本発明は、電子機器、電子機器の制御方法、及びプログラムに関する。
【背景技術】
【０００２】
近年、静止画と動画とを撮影できる電子機器が普及している。レンズ交換式デジタルカメラで撮像センサーのサイズがある程度大きなものでは、ユーザが絞り値を設定することで被写界深度をコントロールした撮影ができる。そのために、絞り優先モードやマニュアルモード（絞り値に加えてシャッター速度とＩＳＯ値もユーザが設定するモード）といった操作モードがある。これらのモードは静止画と動画と両方で利用できる。
【０００３】
特許文献１は、ユーザが設定した絞り値を表示する技術を開示している。特許文献１によれば、撮影枚数カウンターを利用して絞り値の表示が行われる。
【先行技術文献】
【特許文献】
【０００４】
【特許文献１】特開平８−１６６６３１号公報
【発明の概要】
【発明が解決しようとする課題】
【０００５】
一般的には、絞り値などの露出制御パラメータの設定は、１／２段ずつ又は１／３段ずつで行われる。しかし、例えば１／８段ずつなどの、より細かいステップ（単位）での設定を行うニーズもある。ここで、「段」とは、１増える毎に露出（露光量）が２倍または半分となる単位である。すなわち、絞りの開く面積が半分となると、１段分絞った（Ｆ値が１段分増えた）、という。この時、ＩＳＯ感度とシャッター速度が同じであれば露出が１段分減った、という。シャッター速度が２倍（露光時間が半分）となると、シャッター速度が１段分速くなった（露光時間が１段分短くなった）、という。この時、ＩＳＯ感度と絞り値が同じであれば露出が１段分減った、という。
【０００６】
このような細かい単位で設定された露出制御パラメータを表示する場合、有効数字の桁数が少ないと露出制御パラメータを適切に表現できない場合がある。例えば、絞り値の有効数字２桁の場合、Ｆ１．０の状態から１／８段絞った状態は、小数第２位以下を四捨五入しても少数第１位が変化するほどの数値変化ではないため、依然としてＦ１．０と表現される。従って、表示されるＦ値からは、Ｆ１．０の状態とそこから１／８段絞った状態とを区別することができない。
【０００７】
また、有効数字の桁数が十分多い場合であっても、設定値の直感的な把握が困難であるという問題がある。例えば、有効数字３桁の場合、Ｆ１．００の状態から１／８段絞った状態はＦ１．０４と表現され、これら２つの状態は区別可能である。しかし、Ｆ１．０４という設定値は一般的にユーザが見慣れた値ではないため、Ｆ１．００の状態からどの程度絞られているのかをユーザが直感的に把握することが困難である。
【０００８】
本発明はこのような状況に鑑みてなされたものであり、１／ｎ段ステップで設定された露出制御パラメータの設定値を、ユーザがより直感的に把握可能な形式で表示する技術を提供することを目的とする。ここで、一般的にはｎは８以上の整数であるが、ｎが２以上の７以下の整数の場合にも本発明は有効である。
【課題を解決するための手段】
【０００９】
上記課題を解決するために、本発明は、絞り値、シャッター速度、ＩＳＯ感度の少なくとも１つの露出制御パラメータの設定値を１／ｎ段ステップ（ｎは８以上の整数）で設定可能な設定手段と、１／ｎ段ステップで設定された前記露出制御パラメータの設定値を、１段ステップでの数値と、１段未満の段数を示す段数表現とで表示するように制御する表示制御手段と、を有することを特徴とする電子機器を提供する。
【発明の効果】
【００１０】
本発明によれば、１／ｎ段ステップで設定された露出制御パラメータの設定値を、ユーザがより直感的に把握可能な形式で表示することが可能となる。ここで、一般的にはｎは８以上の整数であるが、ｎが２以上の７以下の整数の場合にも本発明は有効である。
【００１１】
なお、本発明のその他の特徴及び利点は、添付図面及び以下の発明を実施するための形態における記載によって更に明らかになるものである。
【図面の簡単な説明】
【００１２】
【図１】（ａ）デジタルカメラ１００の前面斜視図、（ｂ）デジタルカメラ１００の背面斜視図。
【図２Ａ】デジタルカメラ１００にレンズユニット１５０を装着した状態を示す図。
【図２Ｂ】デジタルカメラ１００の構成例を示すブロック図。
【図３Ａ】撮影処理のフローチャート。
【図３Ｂ】撮影処理のフローチャート（図３Ａの続き）。
【図３Ｃ】段数設定切替操作を行うための設定メニューの例を示す図。
【図４】図３ＡのＳ３０７及び図３ＢのＳ３２８における表示形態について説明する図。
【図５】図３ＡのＳ３１９における表示形態について説明する図。
【図６】Ｓ３０６においてデジタルカメラ１００が設定可能なＦ値と、Ｓ３０７における表示形態の例を示す図。
【図７】Ｓ３１８においてデジタルカメラ１００が設定可能なＩＳＯ値と、Ｓ３１９における表示形態の例を示す図。
【図８Ａ】Ｓ３２７においてデジタルカメラ１００が設定可能なシャッター速度と、Ｓ３２８における表示形態の例を示す図。
【図８Ｂ】Ｓ３２７においてデジタルカメラ１００が設定可能なシャッター速度と、Ｓ３２８における表示形態の例を示す図。
【図９】図３ＡのＳ３０９においてデジタルカメラ１００が設定可能なＦ値と、図３ＡのＳ３１０における表示形態の例を示す図。
【図１０】図３ＡのＳ３１２においてデジタルカメラ１００が設定可能なＦ値と、図３ＡのＳ３１３における表示形態の例を示す図。
【図１１】図３ＡのＳ３１４においてデジタルカメラ１００が設定可能なＦ値と、図３ＡのＳ３１５における表示形態の例を示す図。
【図１２】図３ＡのＳ３２１においてデジタルカメラ１００が設定可能なＩＳＯ値と、図３ＡのＳ３２２における表示形態の例を示す図。
【図１３】図３ＡのＳ３２３においてデジタルカメラ１００が設定可能なＩＳＯ値と、図３ＡのＳ３２４における表示形態の例を示す図。
【図１４】図３ＢのＳ３３０においてデジタルカメラ１００が設定可能なシャッター速度と、図３ＢのＳ３３１における表示形態の例を示す図。
【図１５Ａ】図３ＢのＳ３３３においてデジタルカメラ１００が設定可能なシャッター速度と、図３ＢのＳ３３４における表示形態の例を示す図。
【図１５Ｂ】図３ＢのＳ３３３においてデジタルカメラ１００が設定可能なシャッター速度と、図３ＢのＳ３３４における表示形態の例を示す図。
【図１６】図３ＢのＳ３３５においてデジタルカメラ１００が設定可能なシャッター速度と、図３ＢのＳ３３６における表示形態の例を示す図。
【図１７】図３ＡのＳ３０７における、レンズ表示部１１０に表示される露出制御パラメータの表示形態を示す図。
【図１８】図３ＡのＳ３０７における、ファインダー内表示部４１に表示される露出制御パラメータの表示形態を示す図。
【図１９】図３ＡのＳ３０７における、表示部２８に表示される露出制御パラメータの表示形態を示す図。
【図２０】デジタルカメラ１００と無線又は有線により通信する通信部を備えるリモートコントローラ２０００を示す図。
【発明を実施するための形態】
【００１３】
以下、添付図面を参照して、本発明の実施形態を説明する。添付図面の全体を通じて、同一の参照符号が付与された要素は、同一又は同様の要素を表す。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。また、別々の実施形態の中で説明されている特徴を適宜組み合せることも可能である。
【００１４】
図１（ａ）、（ｂ）に本発明を適用可能な装置（電子機器、露出設定装置、撮像装置、撮像制御装置）の一例としてのデジタルカメラ１００の外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。ファインダー外表示部４３は、カメラ上面に設けられた表示部であり、シャッター速度や絞りをはじめとするカメラの様々な設定値が表示される。シャッターボタン６１は撮影指示を行うための操作部である。モード切替スイッチ６０は各種モードを切り替えるための操作部である。端子カバー４０は外部機器とデジタルカメラ１００とを接続する接続ケーブル等を接続するためのコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれる回転操作部材であり、このサブ電子ダイヤル７３を回すことで、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、ライブビュー（以下、ＬＶ）のＯＮとＯＦＦを切り替えるボタンである。動画撮影モードにおいては、ＬＶボタン７６は動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては、拡大ボタン７７は再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００（後述）に記録された画像のうち最新の画像を表示部２８に表示させることができる。クイックリターンミラー１２は、システム制御部５０（後述）から指示されて、不図示のアクチュエータによりアップダウンされる。通信端子１０はデジタルカメラ１００がレンズ側（着脱可能）と通信を行う為の通信端子である。接眼ファインダー１６は、ユーザがフォーカシングスクリーン１３（後述）を観察することで、レンズユニット１５０（後述）を通して得た被写体の光学像の焦点や構図の確認を行うための覗き込み型のファインダーである。蓋２０２は記録媒体２００を格納したスロットの蓋である。グリップ部９０は、ユーザがデジタルカメラ１００を構えた際に右手で握りやすい形状とした保持部である。
【００１５】
図２Ａは、デジタルカメラ１００にレンズユニット１５０を装着した状態を示す図である。なお、図２Ａに示すデジタルカメラ１００の外観は、図１（ａ）、（ｂ）に示すデジタルカメラ１００の外観と異なっているが、これらの外観は同一であってもよい。本実施形態において、デジタルカメラ１００の外観は特に限定されず、任意の外観を採用可能である。
【００１６】
レンズユニット１５０は、レンズ表示部１１０、第一リング１１１、第二リング１１２、及び第三リング１１３を備える。レンズ表示部１１０は、例えば、絞り値、フォーカスの距離、手ブレ補正の状態などを表示することができる。
【００１７】
第一リング１１１、第二リング１１２、及び第三リング１１３には、マニュアルフォーカス操作、ズーム操作、絞り値設定操作、シャッター速度設定操作、ＩＳＯ値設定操作などの機能を割り当てることができる。以下の説明では、第三リング１１３に絞り値設定操作の機能が割り当てられているものとする。
【００１８】
デジタルカメラ１００は、通信部５４（後述）を介して、スマートフォン１１４などの外部装置と通信することができる。
【００１９】
図２Ｂは、デジタルカメラ１００の構成例を示すブロック図である。図２Ｂにおいて、レンズユニット１５０は、撮影レンズを搭載する交換可能なレンズユニットである。レンズ１０３は通常、複数枚のレンズから構成されるが、ここでは簡略化して１枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信する。レンズシステム制御回路４は、絞り駆動回路２を介して絞り１の制御を行う。また、レンズシステム制御回路４は、ＡＦ駆動回路３を介してレンズ１０３の位置を変化させることで焦点を合わせる。
【００２０】
レンズシステム制御回路４は、図２Ａの第一リング１１１、第二リング１１２、及び第三リング１１３が操作されたことを検知すると、この通信端子６，１０を介して、操作内容を示す情報をシステム制御部５０に通知する。
【００２１】
ＡＥセンサー１７は、レンズユニット１５０を通した被写体の輝度を測光する。焦点検出部１１は、システム制御部５０にデフォーカス量情報を出力する。システム制御部５０はデフォーカス量情報に基づいてレンズユニット１５０を制御し、位相差ＡＦを行う。
【００２２】
クイックリターンミラー１２は、露光、ライブビュー撮影、動画撮影の際にシステム制御部５０から指示されて、不図示のアクチュエータによりアップダウンされる。クイックリターンミラー１２は、レンズ１０３から入射した光束が導かれる先を、接眼ファインダー１６側と撮像部２２側とで切り替えるためのミラーである。クイックリターンミラー１２は通常時は接眼ファインダー１６へと光束を導くよう反射させるように配されているが、撮影が行われる場合やライブビュー表示の場合には、撮像部２２へと光束を導くように上方に跳ね上がり光路から待避する（ミラーアップ）。またクイックリターンミラー１２はその中央部が光の一部を透過できるようにハーフミラーとなっており、光束の一部を、焦点検出を行うための焦点検出部１１に入射するように透過させる。
【００２３】
ユーザは、ペンタプリズム１４と接眼ファインダー１６を介して、フォーカシングスクリーン１３を観察することで、レンズユニット１５０を通して得た被写体の光学像の焦点や構図の確認が可能となる。
【００２４】
シャッター１０１は、システム制御部５０の制御で撮像部２２の露光時間を自由に制御できるフォーカルプレーンシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理を行う。画像処理部２４により得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理を行う。
【００２６】
Ａ／Ｄ変換器２３からの出力データは、画像処理部２４及びメモリ制御部１５を介して、或いは、直接メモリ制御部１５を介して、メモリ３２に書き込まれる。メモリ３２は、撮像部２２によって得られＡ／Ｄ変換器２３によりデジタルデータに変換された画像データや、表示部２８に表示するための画像データを格納する。
【００２７】
メモリ３２は、所定枚数の静止画像や所定時間の動画像及び音声を格納するのに十分な記憶容量を備えている。また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、表示部２８は電子ビューファインダとして機能する。これにより、表示部２８はスルー画像表示（ライブビュー表示（ＬＶ表示））を行える。以下、ライブビューで表示される画像をＬＶ画像と称する。
【００２８】
ファインダー内表示部４１には、ファインダー内表示部駆動回路４２を介して、現在オートフォーカスが行われている測距点を示す枠（ＡＦ枠）や、カメラの設定状態を表すアイコンなどが表示される。
【００２９】
ファインダー外表示部４３には、ファインダー外表示部駆動回路４４を介して、シャッター速度や絞りをはじめとするカメラの様々な設定値が表示される。
【００３０】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３１】
システム制御部５０は、少なくとも１つのプロセッサー又は回路からなる制御部であり、デジタルカメラ１００全体を制御する。システム制御部５０は、前述した不揮発性メモリ５６に記録されたプログラムを実行することで、後述する本実施形態の各処理を実現する。システムメモリ５２には、例えばＲＡＭが用いられ、システム制御部５０の動作用の定数、変数、不揮発性メモリ５６から読み出したプログラム等が展開される。また、システム制御部５０はメモリ３２、Ｄ／Ａ変換器１９、表示部２８等を制御することにより表示制御も行う。
【００３２】
システムタイマー５３は各種制御に用いる時間や、内蔵された時計の時間を計測する計時部である。モード切替スイッチ６０、第１シャッタースイッチ６２、第２シャッタースイッチ６４、操作部７０は、システム制御部５０に各種の動作指示を入力するための操作部材である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、などがある。また、撮影シーン別の撮影設定となる各種シーンモード、カスタムモード等がある。モード切替スイッチ６０により、ユーザは、これらのモードのいずれかに直接切り替えることができる。或いは、ユーザは、モード切替スイッチ６０の操作により撮影モードの一覧画面を表示部２８に表示させた後に、表示された複数のモードのいずれかを選択し、他の操作部材を用いて選択を確定させることにより、撮影モードを切り替えてもよい。同様に、動画撮影モードにも複数のモードが含まれていてもよい。
【００３３】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。システム制御部５０は、第１シャッタースイッチ信号ＳＷ１に応じて、ＡＦ（オートフォーカス）処理、ＡＥ（自動露出）処理、ＡＷＢ（オートホワイトバランス）処理、ＥＦ（フラッシュプリ発光）処理等の動作を開始する。
【００３４】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２に応じて、撮像部２２からの信号読み出しから記録媒体２００に画像データを書き込むまでの一連の撮影処理の動作を開始する。
【００３５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３６】
操作部７０は、ユーザからの操作を受け付ける入力部としての各種操作部材である。操作部７０には、押しボタン、回転ダイヤル、タッチセンサなどが含まれ、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００３７】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００３８】
記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３９】
通信部５４は、無線又は有線ケーブルによって外部装置と接続し、映像信号や音声信号の送受信を行う。通信部５４は無線ＬＡＮ（Local Area Network）やインターネットとも接続可能である。また、通信部５４は、Bluetooth（登録商標）やBluetooth Low Energyでも外部機器と通信可能である。通信部５４は撮像部２２で撮像した画像（ＬＶ画像を含む）や、記録媒体２００に記録された画像を送信可能であり、また、外部装置から画像やその他の各種情報を受信することができる。
【００４０】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。姿勢検知部５５である加速度センサーやジャイロセンサーを用いて、デジタルカメラ１００の動き（パン、チルト、持ち上げ、静止しているか否か等）を検知することも可能である。
【００４１】
次に、図３Ａ〜Ｂを参照して、撮影処理の流れについて説明する。図３Ａ〜Ｂに示すフローチャートの各ステップの処理は、特に断らない限り、システム制御部５０が不揮発性メモリ５６に格納されたプログラムをシステムメモリ５２に展開して実行することにより実現される。デジタルカメラ１００の動作モードが撮影モード（静止画記録モード（静止画撮影モード）又は動画撮影モード）に設定されると、本フローチャートの処理が開始する。
【００４２】
Ｓ３０１で、システム制御部５０は、露出制御パラメータ（絞り値、シャッター速度、ＩＳＯ値）の設定に関する段数設定を切り替える操作（段数設定切替操作）が行われたか否かを判定する。ユーザは、操作部７０を用いて段数設定切替操作を行うことができる。ユーザが操作部７０を用いて設定メニューの表示を指示すると、システム制御部５０は、例えば図３Ｃに示すような設定メニューを表示する。設定メニューにおいて、ユーザは、カーソルにより選択された項目の設定を変更することができる（図３Ｃの例では、カーソルにより「露出設定ステップ」が選択された状態である）。ユーザは、露出設定ステップとして、１段、１／２段、又は１／３段を選択することができる（図３Ｃの例では、１／３段が選択されている）。後述するＦ値又はシャッター速度の変更操作が行われた場合、露出設定ステップとして設定された段数の単位で設定値（Ｆ値又はシャッター速度）の変更が行われる。また、ユーザは、ＩＳＯ感度設定ステップとして、１段又は１／３段を選択することができる（図３Ｃの例では、１／３段が選択されている）。後述するＩＳＯ値の変更操作が行われた場合、ＩＳＯ感度設定ステップとして設定された段数の単位で設定値（ＩＳＯ値）の変更が行われる。また、ユーザは、１／８段設定として「する」又は「しない」を選択することができる（図３Ｃの例では、「しない」が選択されている）。１／８段設定として「する」が選択された場合、露出設定ステップ及びＩＳＯ感度設定ステップの設定に関わらず、各露出制御パラメータの設定値（絞り値、シャッター速度、ＩＳＯ値）は１／８段の単位で変更される。段数設定が大きいほど、同じ操作量で大きく露出パラメータを変更できる。また、段数設定が小さいほど同じ操作量で微小に露出パラメータを調整できるため、微調整が可能となる。
【００４３】
なお、図３Ｃの例では、ＩＳＯ感度設定ステップの選択肢は１段及び１／３段しかないが、ＩＳＯ感度設定ステップとして１／２段も選択可能なようにデジタルカメラ１００を構成してもよい。
【００４４】
また、設定メニューは、「１／８段設定」の代わりに、動画撮影時の絞り値のみを対象とする「動画Ａｖ値１／８段設定」という設定項目を含んでもよい。動画Ａｖ値１／８段設定として「する」が選択され、デジタルカメラ１００の動作モードが動画撮影モードである場合を考える。この場合、絞り値に関しては、露出設定ステップの設定に関わらず１／８段の単位で設定値の変更が行われる。一方、シャッター速度及びＩＳＯ値に関しては、それぞれ露出設定ステップ及びＩＳＯ感度設定ステップとして設定された段数の単位で設定値の変更が行われる。また、デジタルカメラ１００の動作モードが静止画記録モードである場合は、動画Ａｖ値１／８段設定は各露出制御パラメータの設定値の変更単位に影響を与えない。即ち、動画Ａｖ値１／８段設定として「する」が選択された場合であっても、Ｆ値及びシャッター速度は露出設定ステップとして選択された段数の単位で変更され、ＩＳＯ値はＩＳＯ感度設定ステップとして設定された段数の単位で変更される。
【００４５】
また、静止画記録モード及び動画撮影モードのいずれについても、絞り値、シャッター速度、及びＩＳＯ値のうちの１つ又は２つを１／８段設定の対象としてもよい。この場合、１／８段設定として「する」が選択されても、１／８段設定の対象外の露出制御パラメータについては、露出設定ステップ又はＩＳＯ感度設定ステップに従って設定値の変更が行われる。
【００４６】
また、絞り値、シャッター速度、及びＩＳＯ値の全てについて、静止画記録モード及び動画撮影モードのうちの一方のみを１／８段設定の対象としてもよい。この場合、１／８段設定として「する」が選択されても、デジタルカメラ１００の動作モードが対象外の動作モードであれば、露出設定ステップ及びＩＳＯ感度設定ステップに従って各露出制御パラメータの設定値の変更が行われる。
【００４７】
また、静止画記録モード及び動画撮影モードのうちの一方のみについて、絞り値、シャッター速度、及びＩＳＯ値のうちの１つ又は２つを１／８段設定の対象としてもよい。この場合、１／８段設定として「する」が選択されても、１／８段設定の対象外の動作モードと露出制御パラメータの組み合わせについては、露出設定ステップ又はＩＳＯ感度設定ステップに従って露出制御パラメータの設定値の変更が行われる。
【００４８】
図３Ｃの設定メニューにより露出設定ステップ、ＩＳＯ感度設定ステップ、及び１／８段設定の少なくとも１つが変更された場合、システム制御部５０は、段数設定切替操作が行われたと判定して処理をＳ３０２に進める。そうでない場合、処理はＳ３０４に進む。
【００４９】
Ｓ３０２で、システム制御部５０は、設定メニューにおいて行われた選択に対応する設定値を不揮発性メモリ５６に格納することにより、設定段数（露出制御パラメータの設定単位、設定ステップ）を切り替える。
【００５０】
Ｓ３０３で、システム制御部５０は、設定段数に応じた表示形態で露出制御パラメータを表示する。Ｓ３０３の処理の詳細については後述する。
【００５１】
Ｓ３０４で、システム制御部５０は、Ｆ値を変更する操作が行われたか否かを判定する。システム制御部５０は、例えば絞り値設定操作の機能が割り当てられた第三リング１１３の回転が検知された場合に、Ｆ値を変更する操作が行われたと判定する。Ｆ値を変更する操作が行われた場合、処理はＳ３０５に進み、そうでない場合、処理はＳ３１６に進む。
【００５２】
Ｓ３０５で、システム制御部５０は、Ｆ値変更の段数設定が１／８段ステップか否かを判定する。図３Ｃの設定メニューにおいて１／８段設定として「する」が選択されている場合、システム制御部５０は、Ｆ値変更の段数設定が１／８段ステップであると判定する。Ｆ値変更の段数設定が１／８段ステップである場合、処理はＳ３０６に進み、そうでない場合、処理はＳ３０８に進む。
【００５３】
Ｓ３０６で、システム制御部５０は、第三リング１１３の操作方向及び操作量に応じて、Ｆ値を１パルス(検知可能な最小回転量回転させた場合に出力される信号)あたり１／８段ずつ増加又は減少させる。すなわち、最小変化量が１／８段である。Ｓ３０７で、システム制御部５０は、Ｆ値の１／８段表示を更新する。ここでの表示の形態については後述する。
【００５４】
Ｓ３０８で、システム制御部５０は、Ｆ値変更の段数設定が１／２段ステップか否かを判定する。図３Ｃの設定メニューにおいて１／８段設定として「しない」が選択されており、露出設定ステップとして「１／２段」が選択されている場合、システム制御部５０は、Ｆ値変更の段数設定が１／２段ステップであると判定する。Ｆ値変更の段数設定が１／２段ステップである場合、処理はＳ３０９に進み、そうでない場合、処理はＳ３１１に進む。
【００５５】
Ｓ３０９で、システム制御部５０は、第三リング１１３の操作方向及び操作量に応じて、Ｆ値を１パルスあたり１／２段ずつ増加又は減少させる。すなわち、最小変化量が１／２段である。Ｓ３１０で、システム制御部５０は、Ｆ値の１／２段表示を更新する。ここでの表示の形態については後述する。
【００５６】
Ｓ３１１で、システム制御部５０は、Ｆ値変更の段数設定が１／３段ステップか否かを判定する。図３Ｃの設定メニューにおいて１／８段設定として「しない」が選択されており、露出設定ステップとして「１／３段」が選択されている場合、システム制御部５０は、Ｆ値変更の段数設定が１／３段ステップであると判定する。Ｆ値変更の段数設定が１／３段ステップである場合、処理はＳ３１２に進み、そうでない場合、処理はＳ３１４に進む。
【００５７】
Ｓ３１２で、システム制御部５０は、第三リング１１３の操作方向及び操作量に応じて、Ｆ値を１パルスあたり１／３段ずつ増加又は減少させる。すなわち、最小変化量が１／３段である。Ｓ３１３で、システム制御部５０は、Ｆ値の１／３段表示を更新する。ここでの表示の形態については後述する。
【００５８】
Ｓ３１４で、システム制御部５０は、第三リング１１３の操作方向及び操作量に応じて、Ｆ値を１パルスあたり１段ずつ増加又は減少させる。すなわち、最小変化量が１段である。Ｓ３１３で、システム制御部５０は、Ｆ値の１段表示を更新する。ここでの表示の形態については後述する。
【００５９】
Ｓ３１６で、システム制御部５０は、ＩＳＯ値を変更する操作が行われたか否かを判定する。システム制御部５０は、例えばＳＥＴボタン７５を押しながらメイン電子ダイヤル７１を回転させる操作を検出した場合に、ＩＳＯ値を変更する操作が行われたと判定する。ＩＳＯ値を変更する操作が行われた場合、処理はＳ３１７に進み、そうでない場合、処理はＳ３２５に進む。
【００６０】
Ｓ３１７で、システム制御部５０は、ＩＳＯ値変更の段数設定が１／８段ステップか否かを判定する。図３Ｃの設定メニューにおいて１／８段設定として「する」が選択されている場合、システム制御部５０は、ＩＳＯ値変更の段数設定が１／８段ステップであると判定する。ＩＳＯ値変更の段数設定が１／８段ステップである場合、処理はＳ３１８に進み、そうでない場合、処理はＳ３２０に進む。
【００６１】
Ｓ３１８で、システム制御部５０は、メイン電子ダイヤル７１の操作方向及び操作量に応じて、ＩＳＯ値を１パルスあたり１／８段ずつ増加又は減少させる。Ｓ３１９で、システム制御部５０は、ＩＳＯ値の１／８段表示を更新する。ここでの表示の形態については後述する。
【００６２】
Ｓ３２０で、システム制御部５０は、ＩＳＯ値変更の段数設定が１段ステップか否かを判定する。図３Ｃの設定メニューにおいて１／８段設定として「しない」が選択されており、ＩＳＯ感度設定ステップとして「１段」が選択されている場合、システム制御部５０は、ＩＳＯ値変更の段数設定が１段ステップであると判定する。ＩＳＯ値変更の段数設定が１段ステップである場合、処理はＳ３２１に進み、そうでない場合、処理はＳ３２３に進む。
【００６３】
Ｓ３２１で、システム制御部５０は、メイン電子ダイヤル７１の操作方向及び操作量に応じて、ＩＳＯ値を１パルスあたり１段ずつ増加又は減少させる。Ｓ３２２で、システム制御部５０は、ＩＳＯ値の１段表示を更新する。ここでの表示の形態については後述する。
【００６４】
Ｓ３２３で、システム制御部５０は、メイン電子ダイヤル７１の操作方向及び操作量に応じて、ＩＳＯ値を１パルスあたり１／３段ずつ増加又は減少させる。Ｓ３２４で、システム制御部５０は、ＩＳＯ値の１／３段表示を更新する。ここでの表示の形態については後述する。
【００６５】
Ｓ３２５で、システム制御部５０は、シャッター速度を変更する操作が行われたか否かを判定する。システム制御部５０は、例えばメイン電子ダイヤル７１を回転させる操作を検出した場合に、シャッター速度を変更する操作が行われたと判定する。シャッター速度を変更する操作が行われた場合、処理はＳ３２６に進み、そうでない場合、処理はＳ３３７に進む。
【００６６】
Ｓ３２６で、システム制御部５０は、シャッター速度変更の段数設定が１／８段ステップか否かを判定する。図３Ｃの設定メニューにおいて１／８段設定として「する」が選択されている場合、システム制御部５０は、シャッター速度変更の段数設定が１／８段ステップであると判定する。シャッター速度変更の段数設定が１／８段ステップである場合、処理はＳ３２７に進み、そうでない場合、処理はＳ３２９に進む。
【００６７】
Ｓ３２７で、システム制御部５０は、メイン電子ダイヤル７１の操作方向及び操作量に応じて、シャッター速度を１パルスあたり１／８段ずつ増加又は減少させる。Ｓ３２８で、システム制御部５０は、シャッター速度の１／８段表示を更新する。ここでの表示の形態については後述する。
【００６８】
Ｓ３２９で、システム制御部５０は、シャッター速度変更の段数設定が１／２段ステップか否かを判定する。図３Ｃの設定メニューにおいて１／８段設定として「しない」が選択されており、露出設定ステップとして「１／２段」が選択されている場合、システム制御部５０は、シャッター速度変更の段数設定が１／２段ステップであると判定する。シャッター速度変更の段数設定が１／２段ステップである場合、処理はＳ３３０に進み、そうでない場合、処理はＳ３３２に進む。
【００６９】
Ｓ３３０で、システム制御部５０は、メイン電子ダイヤル７１の操作方向及び操作量に応じて、シャッター速度を１パルスあたり１／２段ずつ増加又は減少させる。Ｓ３３１で、システム制御部５０は、シャッター速度の１／２段表示を更新する。ここでの表示の形態については後述する。
【００７０】
Ｓ３３２で、システム制御部５０は、シャッター速度変更の段数設定が１／３段ステップか否かを判定する。図３Ｃの設定メニューにおいて１／８段設定として「しない」が選択されており、露出設定ステップとして「１／３段」が選択されている場合、システム制御部５０は、シャッター速度変更の段数設定が１／３段ステップであると判定する。シャッター速度変更の段数設定が１／３段ステップである場合、処理はＳ３３３に進み、そうでない場合、処理はＳ３３５に進む。
【００７１】
Ｓ３３３で、システム制御部５０は、メイン電子ダイヤル７１の操作方向及び操作量に応じて、シャッター速度を１パルスあたり１／３段ずつ増加又は減少させる。Ｓ３３４で、システム制御部５０は、シャッター速度の１／３段表示を更新する。ここでの表示の形態については後述する。
【００７２】
Ｓ３３５で、システム制御部５０は、メイン電子ダイヤル７１の操作方向及び操作量に応じて、シャッター速度を１パルスあたり１段ずつ増加又は減少させる。Ｓ３３６で、システム制御部５０は、シャッター速度の１段表示を更新する。ここでの表示の形態については後述する。
【００７３】
Ｓ３３７で、システム制御部５０は、ＳＷ１がＯＮであるか否か（第１シャッタースイッチ６２が押下されているか否か）を判定する。ＳＷ１がＯＮの場合、処理はＳ３３８に進み、そうでない場合、処理はＳ３０１に戻る。
【００７４】
Ｓ３３８で、システム制御部５０は、上述のＳ３０４からＳ３３６で設定された露出制御パラメータ（絞り値、シャッター速度、ＩＳＯ感度）に基づいて自動焦点調節制御（ＡＦ）及び自動露出制御（ＡＥ）を行う。なお、露出設定モードがマニュアルモードである場合には、ＡＥは行わない。Ｓ３３９で、システム制御部５０は、ＳＷ２がＯＮであるか否か（第２シャッタースイッチ６４が押下されているか否か）を判定する。ＳＷ２がＯＮの場合、処理はＳ３４０に進み、そうでない場合、処理はＳ３４１に進む。
【００７５】
Ｓ３４０で、システム制御部５０は、撮像部２２から画像を取得する撮影処理を実行する。この撮影における各露出制御パラメータは、Ｓ３３８でのＡＦまたはＡＥの結果、あるいは、上述のＳ３０４からＳ３３６で設定された露出制御パラメータとなる。すなわち、システム制御部５０は、上述のＳ３０４からＳ３３６で設定された露出制御パラメータが反映された撮影処理を行う。デジタルカメラ１００の動作モードが静止画記録モードの場合、システム制御部５０は、静止画を撮影する。デジタルカメラ１００の動作モードが動画撮影モードの場合、システム制御部５０は、動画を撮影する。動画の撮影は、第２シャッタースイッチ６４がもう一度押下されるまで継続する。Ｓ３４０の撮影処理では、撮影された静止画または動画は、画像ファイルとして記録媒体２００に記録される。すなわち、撮影待機中のライブビュー撮影用の撮影とは異なる、本撮影である。
【００７６】
Ｓ３４１で、システム制御部５０は、ＳＷ１がＯＮの状態に保持されているか否かを判定する。ＳＷ１がＯＮの状態に保持されている場合、処理はＳ３３８に戻り、そうでない場合、処理はＳ３０１に戻る。
【００７７】
次に、図４を参照して、図３ＡのＳ３０７における表示形態について説明する。図４は、表示部２８に表示される測光値表示画面４０１を示す。測光値表示画面４０１は、ライブビュー画面と、ＬＶ画像に重畳表示される露出パラメータ表示を含む。露出パラメータ表示は、シャッター速度の秒時、絞り値（Ｆ値）、ＩＳＯ感度の値（ＩＳＯ値）を含む。ここでは、Ａｖ優先モードでＩＳＯ１００が設定されているものとする。
【００７８】
露出パラメータ表示４０２は、測光値表示画面４０１から露出パラメータ表示を抜き出したものであり、Ｆ値であることを示す「Ｆ」の文字表記と共に、Ｆ値のパラメータである「１１」、及び「１／８」という分数が表示されている。「１１」の部分は、単位は「段」ではなく（すなわち１１段を示しているわけではなく）、Ｆ値の値そのもの、即ちＦ１１を意味する。「１／８」という分数は、「段」であり、Ｆ値がＦ１１から１／８段だけ絞られた状態であることを示す。すなわち、「Ｆ１１  １/８」という表記は、「Ｆ１１．１２５」を示しているわけではなく、「Ｆ１１と１／８段」を示している。図４に示すように、１／８段ステップ（１段刻み、１段毎）の分数部分は、１文字分のスペースを用いて整数部分よりも小さく表示される。
【００７９】
「１１  １／８」に対応するＦ値を、分数を用いずに有効数字２桁の設定値として表現した場合、Ｆ１１となり、Ｆ１１から１／８段だけ絞る前の状態と区別がつかない。また、有効数字を増やせば区別はつくが、一般的にユーザが見慣れている１段、１／２段、又は１／３段ステップのＦ値と異なる値になるため、ユーザが絞りの状態を直感的に把握することが困難である。図４の例では、ユーザが見慣れている「１１」という１段ステップのＦ値に「１／８」という分数を用いた段数表現を添えることにより、ユーザは絞りの状態を直感的に把握することができる。
【００８０】
同様に、露出パラメータ表示４０２は、シャッター速度として「１／１２５」と共に「１／８」という分数を含む。「１／１２５」の部分は、シャッター速度の値そのものであり、単位は「秒」である。即ちＴｖ（１／１２５）秒を意味する。「１／８」という分数は、単位は「秒」ではなく「段」であり、シャッター速度がＴｖ（１／１２５）秒から１／８段だけ高速化した状態であることを示す。すなわち、「１／１２５  １／８」という表記は、シャッター速度が「（１／１２５）秒と１／８段」を示している。Ｆ値の場合と同様、ユーザが見慣れている「１／１２５」という１段ステップ（１段刻み、１段毎）のシャッター速度に「１／８」という分数を用いた段数表現を添えることにより、ユーザはシャッター速度を直感的に把握することができる。
【００８１】
以下の説明では、分数のような段数表現を伴う設定値を、「（１段ステップの露出制御値）＋（分数）段」と表現する場合がある。例えば、露出パラメータ表示４０２の状態では、Ｆ値が（Ｆ１１）＋（１／８）段であり、シャッター速度がＴｖ（１／１２５）秒＋（１／８）段である。
【００８２】
図４の例では、自動露出の結果、Ｔｖ（１／１２５）秒＋（１／８）段、Ｆ（１１）＋（１／８）段、ＩＳＯ感度１００で適正露出が得られる状態であるものとする。説明の都合上、以下に説明するＦ値変更操作の間、被写体の明るさが変わらないものとする。
【００８３】
露出パラメータ表示４０３は、露出パラメータ表示４０２の状態から絞りを更に１／８段絞り込んだときの状態に対応し、Ｆ値はＦ１１＋２／８段である。Ｆ値が１／８段大きくなった結果、シャッター速度は１／８段遅くなり、（１／１２５）秒ちょうどである。このとき、シャッター速度には分数が表示されない。即ち、１段ステップの設定値に対する１／８段ステップのずれが存在しない場合には分数が表示されない。仮に、「１１  ２／８」に対応するＦ値を、分数を用いずに有効数字２桁の設定値として表現した場合、Ｆ１２となり、一般的にユーザが見慣れている１段、１／２段、又は１／３段ステップのＦ値と異なる値になる。図４の例では、ユーザが見慣れているＦ１１というＦ値に「２／８」（段）という分数を添えることにより、ユーザは絞りの状態を直感的に把握することができる。
【００８４】
なお、１段ステップの設定値に対する１／８段ステップのずれが存在しない場合であっても、Ｆ値変更の段数設定が１／８段ステップであることを示すために「０／８」又は「８／８」という分数を表示するようにデジタルカメラ１００を構成してもよい。この場合、露出パラメータ表示４０３のシャッター速度は、「１／１２５  ０／８」又は「１／６０  ８／８」となる。
【００８５】
露出パラメータ表示４０４は、露出パラメータ表示４０３の状態から絞りを更に１／８段絞り込んだときの状態に対応する。この場合も、設定値はＦ１３ではなくＦ１１＋３／８段として表現される。同様に、シャッター速度はＴｖ１／６０＋７／８として表現される。
【００８６】
露出パラメータ表示４０５は、露出パラメータ表示４０４の状態から絞りを更に１／８段絞り込んだときの状態に対応する。この場合も、設定値はＦ１３ではなくＦ１１＋４／８段として表現される。同様に、シャッター速度はＴｖ１／６０＋６／８として表現される。
【００８７】
同様に、露出パラメータ表示４０６〜４０８は、露出パラメータ表示４０５の状態から絞りを更に１／８段ずつ絞り込んだときの状態に対応し、Ｆ値及びシャッター速度は分数を用いて表現される。
【００８８】
露出パラメータ表示４０９は、露出パラメータ表示４０８の状態から絞りを更に１／８段絞り込んだときの状態に対応する。このとき、Ｆ値は１６ちょうどであり、露出パラメータ表示４０３におけるシャッター速度と同様、分数は表示されない。但し、露出パラメータ表示４０３におけるシャッター速度と同様、「１６  ０／８」又は「１１  ８／８」と表示するようにデジタルカメラ１００を構成してもよい。
【００８９】
ここまで、図４を参照して、図３ＡのＳ３０７における表示形態（Ａｖ優先モードにおいて１／８段ステップのＦ値変更操作が行われる場合の表示形態）について説明したが、図３ＢのＳ３２８においても同様の表示形態での露出パラメータ表示が行われる。図３ＢのＳ３２７において、Ｔｖ優先モードにおいて１／８段ステップでシャッター速度の変更が行われるものとする。この場合、図３ＢのＳ３２８において、図４の露出パラメータ表示４０２〜４０９に示すような、分数を伴うシャッター速度の表示が行われる。
【００９０】
また、図３ＡのＳ３１９においても、分数を伴うＩＳＯ値の表示が行われる。図５を参照して、図３ＡのＳ３１９における表示形態について説明する。図５は、表示部２８に表示される測光値表示画面５０１を示す。測光値表示画面５０１は、ＬＶ画像と、ＬＶ画像に重畳表示される露出パラメータ表示を含む。露出パラメータ表示は、シャッター速度の秒時、絞り値（Ｆ値）、ＩＳＯ感度の値（ＩＳＯ値）を含む。ここでは、マニュアルモード（Ｍモード）でＩＳＯ値が１／８段ステップで変更されるものとする。
【００９１】
露出パラメータ表示５０２は、測光値表示画面５０１から露出パラメータ表示を抜き出したものであり、ＩＳＯ値として「１００」と共に「１／８」という分数が表示されている。「１００」の部分は、ＩＳＯ値の値そのもの、即ちＩＳＯ１００を意味する。「１／８」という分数は、ＩＳＯ値がＩＳＯ１００から１／８段だけ増加した状態であることを示す。図４を参照して説明したＦ値及びシャッター速度の場合と同様、ユーザが見慣れている「１００」というＩＳＯ値に「１／８」という分数を添えることにより、ユーザはＩＳＯ値を直感的に把握することができる。
【００９２】
露出パラメータ表示５０３〜５０８は、露出パラメータ表示５０２の状態からＩＳＯ値を更に１／８段ずつ増加させたときの状態に対応し、ＩＳＯ値は分数を用いて表現される。
【００９３】
露出パラメータ表示５０９は、露出パラメータ表示５０８の状態からＩＳＯ値を更に１／８段増加させたときの状態に対応する。このとき、ＩＳＯ値は２００ちょうどであり、分数は表示されない。但し、図４の露出パラメータ表示４０３におけるシャッター速度と同様、「２００  ０／８」又は「１００  ８／８」と表示するようにデジタルカメラ１００を構成してもよい。
【００９４】
このように、デジタルカメラ１００は、露出制御パラメータ（絞り値、シャッター速度、ＩＳＯ値）の設定値をユーザが見慣れている１段ステップでの値（単位は「段」ではない）と１／８段ステップでの分数（単位は「段」）とで表示する。これにより、ユーザは露出制御パラメータの設定値を直感的に把握することができる。また、ユーザは、露出制御パラメータの変更を直感的かつ迅速に行うことができる。例えば、仮に分数を用いない場合、露出パラメータ表示５０４のＩＳＯ値は「１３０」、露出パラメータ表示９０８のＩＳＯ値は「１８０」となる。ここで、ユーザがＩＳＯ値をＩＳＯ１３０から１／２段だけ増加させたい場合を考える。この場合、ユーザは、ＳＥＴボタン７５を押しながらメイン電子ダイヤル７１を４単位分だけ回転させる必要がある。このとき、「１３０」及び「１８０」はユーザにとって見慣れたＩＳＯ値ではないため、ユーザはＩＳＯ値の表示が「１３０」から「１８０」したことによりＩＳＯ値が１／２段増加したと認識することは困難である。そのため、ユーザは、ＩＳＯ値を１／２段増加させるために、メイン電子ダイヤル７１の操作回数を正確にカウントする必要がある。一方、図５に示す表示形態が採用される場合、ユーザはｍＩＳＯ値の表示が「１００  ３／８」から「１００  ７／８」に変化したこと、即ち分数が４／８増加したことから、ＩＳＯ値が１／２段増加したことを容易に認識することができる。その結果、ユーザは、メイン電子ダイヤル７１の操作回数を正確にカウントすることなく、直感的かつ迅速にＩＳＯ値の変更を行うことができる。
【００９５】
なお、図４及び図５の例では、表示される分数の分母は８であり、約分可能な場合であっても約分せずに表示されている。しかしながら、分数を約分可能な場合は、約分した上で表示してもよい。例えば、図４の露出パラメータ表示４０５におけるＦ値は、「１１  １／２」と表現されてもよい。
【００９６】
また、図３ＡのＳ３０６においてデジタルカメラ１００が設定可能なＦ値は、図４に示すものに限定されない。図６は、Ｓ３０６においてデジタルカメラ１００が設定可能なＦ値と、Ｓ３０７における表示形態の例を示す図である。図６において、１段ステップのＦ値から２／８段、３／８段、５／８段、６／８段、又は７／８段ずれた設定値については図示を省略しているが、デジタルカメラ１００はこれらの値も設定可能である。
【００９７】
同様に、図３ＡのＳ３１８においてデジタルカメラ１００が設定可能なＩＳＯ値は、図５に示すものに限定されない。図７は、Ｓ３１８においてデジタルカメラ１００が設定可能なＩＳＯ値と、Ｓ３１９における表示形態の例を示す図である。図７において、１段ステップのＩＳＯ値から２／８段、３／８段、５／８段、６／８段、又は７／８段ずれた設定値については図示を省略しているが、デジタルカメラ１００はこれらの値も設定可能である。
【００９８】
同様に、図３ＢのＳ３２７においてデジタルカメラ１００が設定可能なシャッター速度は、図４に示すものに限定されない。図８Ａ及び図８Ｂは、Ｓ３２７においてデジタルカメラ１００が設定可能なシャッター速度と、Ｓ３２８における表示形態の例を示す図である。図８Ａ及び図８Ｂにおいて、１段ステップのシャッター速度から２／８段、３／８段、５／８段、６／８段、又は７／８段ずれた設定値については図示を省略しているが、デジタルカメラ１００はこれらの値も設定可能である。
【００９９】
次に、設定段数が１／８段ステップ以外の場合の、露出制御パラメータの表示形態について説明する。
【０１００】
図９、図１０、図１１はそれぞれ、図３ＡのＳ３０９、Ｓ３１２、Ｓ３１４においてデジタルカメラ１００が設定可能なＦ値と、図３ＡのＳ３１０、Ｓ３１３、Ｓ３１５における表示形態の例を示す図である。
【０１０１】
図１２〜図１３はそれぞれ、図３ＡのＳ３２１、Ｓ３２３においてデジタルカメラ１００が設定可能なＩＳＯ値と、図３ＡのＳ３２２、Ｓ３２４における表示形態の例を示す図である。
【０１０２】
図１４、図１５Ａ及び図１５Ｂ、図１６はそれぞれ、図３ＢのＳ３３０、Ｓ３３３、Ｓ３３５においてデジタルカメラ１００が設定可能なシャッター速度と、図３ＢのＳ３３１、Ｓ３３４、Ｓ３３６における表示形態の例を示す図である。
【０１０３】
図９〜図１３に記載した通り、「表示形態」の列（欄）はいずれも、整数または小数を用いた表示であり、分数（単位は「段」）を用いた表示はしない。また、図１４〜図１６の「表示形態」の列（欄）は、分数を用いることがあるが単位はいずれも「秒」であり、「段」ではない。すなわち、単位が「段」である分数を用いた表示はしない。このように、設定段数が１／８段ステップよりも大きい場合は、露出制御パラメータの設定値の全体が露出制御パラメータの値として表示され、段数表現による表示は行われない。
【０１０４】
なお、ここまでは、設定段数が１／８段ステップの場合に段数表現による表示が行われるものとしたが、設定段数が１／８段ステップよりも小さい場合に段数表現による表示を行うようにデジタルカメラ１００を構成してもよい。一般化すると、デジタルカメラ１００は、設定段数が１／ｎ段ステップ（ｎは８以上の整数）の場合に段数表現による表示を行い、設定段数が１／ｋ段ステップ（ｋは１以上ｎ未満の整数）の場合に段数表現による表示を行わない。また、本実施形態はｎが８以上の整数の場合に特に有効であるが、ｎが２以上の整数の場合であってもある程度の効果がある。従って、設定段数が１／ｎ段ステップ（ｎは２以上の整数）の場合に段数表現による表示を行うようにデジタルカメラ１００を構成してもよい。
【０１０５】
次に、図３ＡのＳ３０３における、設定段数に応じた形式での露出制御パラメータの表示について説明する。Ｓ３０３において、システム制御部５０は、現在の設定段数（Ｓ３０２における切り替え後の設定段数）に応じた表示形態で露出制御パラメータを表示する。具体的な表示形態については、上で図４〜図１６を参照して説明した通りである。
【０１０６】
ここで、Ｓ３０２において設定段数が１／８段ステップと設定段数が１／８段ステップ以外の単位との間で切り替えられた場合の、Ｓ３０３における動作について説明する。
【０１０７】
例えば、図３Ｃの設定メニューにおいて「露出設定ステップ」として「１／３段」が選択され、「１／８段設定」として「しない」が選択され、表示部２８にＦ値として「１４」が表示されている状態を考える。この状態において「１／８段設定」が「しない」から「する」に変更されると、表示部２８におけるＦ値の表示形態が「１４」から「１１  ４／８」に変化する。なお、Ｆ１４とＦ１１＋４／８段は同じ数値（同義の値）ではない。この状態では、ユーザは絞り値の変更操作は行っていないため、内部的にはまだ設定値はＦ１４である。しかし、表示部２８での表示形態は、上記のように「Ｆ１４」とは異なるがそれに近い１／８段ステップの「１１  ４／８」に変更される。また、この状態において更に「１／８段設定」が「する」から「しない」に変更されると、表示部２８におけるＦ値の表示形態が「１１  ４／８」から「Ｆ１４」に変化する。
【０１０８】
別の例として、図３Ｃの設定メニューにおいて「露出設定ステップ」として「１／２段」選択され、「１／８段設定」として「しない」が選択され、表示部２８にＦ値として「１３」に設定されている状態を考える。この状態において「１／８段設定」が「しない」から「する」に変更されると、表示部２８におけるＦ値の表示形態が「１３」から「１１  ４／８」に変化する。Ｆ１３とＦ１１＋４／８段は同じ数値（同義の値）であるが、「１／８段設定」が「する」になっていることを示すため、わざわざ表示部２８での表記を「１１  ４／８」に変更する。この状態において更に「１／８段設定」が「する」から「しない」に変更されると、表示部２８におけるＦ値の表示形態が「１１  ４／８」から「１３」に変化する。
【０１０９】
なお、ここでは設定段数の切り替えに伴うＦ値の表示形態の変化について説明したが、ＩＳＯ値及びシャッター速度についても同様に設定段数の切り替えに応じて表示形態が変化する。
【０１１０】
次に、図１７〜図１９を参照して、露出制御パラメータの表示形態の変形例について説明する。
【０１１１】
図１７は、図３ＡのＳ３０７における、レンズ表示部１１０に表示される露出制御パラメータの表示形態を示す。図１７において、レンズ表示部１１０には、絞り値、焦点距離指標、及び光学手ブレ補正（ＩＳ）動作モードが表示されている。符号１７０２〜１７０９は、符号１７０１の表示内容からＦ値変更操作に伴って表示内容が変化する様子を示している。
【０１１２】
符号１７０２は、Ｆ５．６に対応する符号１７０１の状態から１／８段絞り込んだ時の表示内容を示す。レンズ表示部１１０は小さいので、図４の露出パラメータ表示４０２のように１／８段ステップの分数を文字で表現すると視認性が悪い。そのため、レンズ表示部１１０は、横長の長さの異なるドットで０／８段から７／８段までを表現する。ここでは、一番下の長いドットが１つ点灯して１／８段を示している。その上に積み重なるように非点灯の長短のドットが６個ある。説明のためドットの枠が強調されているが、実際には液晶のセグメント境界の細い線で区切られているだけで、非点灯の場合は図１７ほど目立つことはない。
【０１１３】
符号１７０３は、更に１つ短いドットまで点灯して２／８段を示している。符号１７０４は、３個目の短いドットまで点灯して３／８段を示している。符号１７０５は、４個目の長いドットが点灯して４／８段を示している。このドットが長いことで１／２段という区切りがわかりやすくなっている。符号１７０６は、更に５個目の短いドットが点灯して５／８段を示している。符号１７０７は、６個目の短いドットが点灯して６／８段を示している。符号１７０８は、７個目の長いドットが点灯して７／８段を示している。これで１／８段ステップのドットはフル表示で、もう１／８段絞ると見慣れた数値のＦ値の部分が変わるということで長いドットとしている。符号１７０９は、Ｆ８．０に繰り上がりドット表示がすべて消灯になった状態を示している。
【０１１４】
なお、図１７はレンズ表示部１１０における表示形態を示しているが、表示部２８、ファインダー内表示部４１、ファインダー外表示部４３などの他の表示部においても同様の表示形態を採用可能である。また、図１７はＦ値の表示形態を示しているが、ＩＳＯ値及びシャッター速度に対しても同様の表示形態を採用可能である。表示デバイス毎に異なる表示形態を使い分けてもよい。例えば、分数を視認性良く表示できる表示部２８には図４、図５で説明したような表示を行う。一方、分数が視認性良く表示し難いレンズ表示部１１０、ファインダー内表示部４１、ファインダー外表示部４３では、図１７で説明したような表示を行う。
【０１１５】
図１８は、図３ＡのＳ３０７における、ファインダー内表示部４１に表示される露出制御パラメータの表示形態を示す。本実施形態で説明するファインダーは光学ファインダーである。ファインダー内表示部４１は、被写体の光学像と重ねて視認される液晶表示部である。本実施形態では、被写体の光学像の下部にファインダー内表示部４１が視認されるように配置されている。図１８に図示した例では光学像の周辺部に黒いマスクをし、その黒いマスク部に対して表示する例を示しているが、背景を黒ではなく透過型とし、点灯した文字や記号の部分以外は光学像が透過して視認できるようにすることも可能である。ファインダー内表示部４１は、ドットマトリックス表示部ではないため自由な形状は表示できず、予め決まった形の複数の表示セグメントの点灯（表示）と消灯（非表示）を切り替えることにより各種情報が表示される。数字の表示部分は７セグメント表示部（以下、７ＳＥＧ表示部）により構成されており、７つの表示要素（セグメント）の点灯または消灯のパターンにより、数字の形状を表示する。７ＳＥＧ表示部には、左から順にシャッター速度の分母、絞り値、露出補正バー、ＩＳＯアイコン、ＩＳＯ値が表示される。
【０１１６】
符号１８０１は、シャッター速度が１／４０００秒、Ｆ値が５．６、露出補正が０、ＩＳＯ値が１２８０００の状態を示す。符号１８０２〜１８０９は、符号１８０１の表示内容からＦ値変更操作に伴って表示内容が変化する様子を示している。なお、ここでは、シャッター速度は１／２段ステップで表示されるものとする。
【０１１７】
符号１８０２は、Ｆ５．６に対応する符号１８０１の状態から１／８段絞り込んだ時の表示内容を示す。このとき、シャッター速度は１／４０００秒、Ｆ値はＦ５．６＋１／８段である。ＩＳＯアイコンは消灯され、右側のＩＳＯ値表示用の７ＳＥＧの数字６桁は、ＩＳＯ値を表示する代わりに、１／８段ステップの分数を表現するために使用される。符号１８０２における逆Ｕ字型の表示は、１／８段を示す。
【０１１８】
符号１８０３は、更に１／８段絞り込みを行って絞り値がＦ５．６＋２／８段（約Ｆ６．１）になった状態を示す。１／８〜７／８の７種類の分数を全て符号１８０２に示す逆Ｕ字型の表示により表現すると７ＳＥＧが７つ必要であるが、ＩＳＯ値表示用の７ＳＥＧは６つしかない。そこで、図１８に示すように、２／８を表現する場合、左から２つ目の７ＳＥＧについては、左の列の下側のセグメントのみを用いる。
【０１１９】
符号１８０４は、更に１／８段絞り込みを行って絞り値がＦ５．６＋３／８段（約Ｆ６．４）になった状態を示す。図１８に示すように、左から２つ目の７ＳＥＧの右の列の下側のセグメントを更に点灯させることにより、３／８が表現されている。
【０１２０】
ここまでは、シャッター速度が１／２段ステップの表示なので４０００のままである。露出補正が０なので、内部制御上は、手動設定されている１／８段ステップのＦ値に対応して１／４０００秒より３／８段遅くなっているが、表示上は、１／２段ステップに丸められて表示されている。
【０１２１】
符号１８０５は、更に１／８段絞り込みを行って絞り値がＦ５．６＋４／８段になった状態を示す。ここでは、左から３つ目の７ＳＥＧにおいて逆Ｕ字型の表示が行われる。符号１８０１の状態からＦ値が１／２段絞られたことに応じて、シャッター速度も１／２段ステップの１／３０００秒に変化し、表示が「３０００」になる。
【０１２２】
同様に、符号１８０６〜１８０８は、符号１８０５の状態から更に１／８段ずつ絞っていく場合の表示内容を示す。符号１８０６〜１８０７においては７ＳＥＧの１つのセグメントのみが新たに点灯しているが、符号１８０８においては７ＳＥＧの５つのセグメントにより逆Ｕ字型の表示が行われている。
【０１２３】
符号１８０９は、更に１／８段絞り込みを行って絞り値がＦ５．６＋８／８段、即ちＦ８．０になった状態を示す。シャッター速度も更に１／２段下がって１／２０００秒となっている。
【０１２４】
このような表示形態を採用することにより、６つの７ＳＥＧで１／８〜７／８の７種類の分数を表現することができる。
【０１２５】
なお、図１８はＦ値の表示形態を示しているが、ＩＳＯ値及びシャッター速度に対しても同様の表示形態を採用可能である。
【０１２６】
また、図１８はファインダー内表示部４１における表示形態を示しているが、他の表示部においても同様の表示形態を採用可能である。特に、ドットマトリックス表示部ではなく、７セグメント表示部などにより表示を行う表示部に適用すると好適である。ファインダー外表示部４３や、レンズ表示部１１０には７セグメント表示部が採用されることもあるが、これらに図１８のような表示形態を適用すれば、より好適である。また、一眼レフカメラではなく、ミラーレス一眼カメラのようなデジタルカメラでは、ファインダーが、光学像ではなく、撮像されたＬＶ画像を表示する電子ビューファインダで構成されることが多い。この場合には、ファインダー内の表示部（すなわちＥＶＦ）であっても、図１８のような表示形態ではなく、図４，図５で説明したような表示形態で表示することが可能である。
【０１２７】
図１９は、図３ＡのＳ３０７における、表示部２８に表示される露出制御パラメータの表示形態を示す。ここでは、ユーザによる操作部７０の操作により、表示部２８にはＬＶ画像の代わりにカメラ設定値画面１９０１が表示されているものとする。
【０１２８】
カメラ設定値画面１９０１は、露出メーター指標１９１０を伴う露出メーターを含む。図１９の状態では、露出メーター指標１９１０が適正露出を表している。実際には、カメラをパンして構図が変わる、被写体の明暗が変わる、等の理由により測光結果が変化するため、露出メーター指標１９１０は１００ｍｓ程度の更新頻度で上下に動くものである。
【０１２９】
この状態においてＦ値を１／８段大きくする操作が行われてＳ３０７の処理が実行されると、カメラ設定値画面１９０１には、露出メーターの代わりに符号１９０２で示す表示が行われる。符号１９０２は、Ｆ値の１／８段ステップの分数部分が１／８であることを示す。この表示は所定時間（例えば５００ｍｓ）継続する。所定時間が経過すると、再び露出メーターが表示される。
【０１３０】
続けてＦ値を１／８段ずつ増加させる操作が行われると、符号１８０３〜１８０５に示すように表示されるドットが増え、Ｆ値の１／８段ステップの分数部分が２／８、３／８と増加していることが表現される。符号１８０５の状態では、横に並ぶ２つのドットが新たに点灯する。これにより、きりのよい１／２段が表現される。
【０１３１】
続けてＦ値を１／８段ずつ増加させる操作が行われると、符号１８０６〜１８０８に示すように表示されるドットが増え、最終的に符号１８０９の状態になる。符号１８０９の状態は、Ｆ値がちょうど１段ステップの値になったことを示す。
【０１３２】
なお、図１９はＦ値の表示形態を示しているが、ＩＳＯ値及びシャッター速度に対しても同様の表示形態を採用可能である。
【０１３３】
また、図１９のような表示形態は、ドットマトリックス表示部ではなく、予め形状の決まった露出補正用の表示セグメントを有する表示部でも適用可能である。すなわち、ファインダー内表示部４１、ファインダー外表示部４３、レンズ表示部１１０などがドットマトリックス表示部ではなく、予め形状の決まった露出補正用の表示セグメントを有する表示部である場合に適用可能である。この場合、７セグメント表示部の数字表示によって１段ステップでの露出制御パラメータを表示し、露出補正用の表示セグメントを用いて、１段未満の１/８段ステップの値を示す。露出補正用の表示セグメントは、露出補正無し（±０）を中央として、露出補正値−３〜＋３の７つの指標を有していることが多く、ちょうど、１／８〜７／８の７つの状態を表現できる。例えば、１段ずつ露出補正値を示す場合には、露出補正値−３〜＋３に対応する７つの指標のうち何れか１つを表示する。露出補正値を表示する代わりに、露出制御パラメータ（Ｆ値、シャッター速度、ＩＳＯ値）の１/８段ステップの部分を示す場合には、露出補正値−３〜＋３に対応する７つの指標のうち、左から順番に分子の数だけ表示する。例えば、３/８を示す場合には、露出補正値−３、−２、−１を示す指標３つが同時に表示される。このようにすることで３／８を表現できるとともに、指標を１つしか表示しない露出補正値の表示形態とは異なるので、現在表示している内容が露出補正値ではないことをユーザに認識させて混乱を防ぐこともできる。
【０１３４】
図１７〜図１９から理解できるように、デジタルカメラ１００は、露出制御パラメータの設定値の１段未満の部分を段数表現により表示するために、分数の代わりに何らかの指標を表示してもよい。例えば、露出制御パラメータの設定値の１段未満の部分に対応する段数がｍ／ｎ（ｍは１以上ｎ未満の整数）である場合、デジタルカメラ１００は、ｍ個の指標を表示する。指標としては、例えば図１７に示す横長のドット、図１８に示す７ＳＥＧの特定の点灯パターン、図１９に示すドット又は２ドットの組み合わせなどを用いることができる。
【０１３５】
ここまで説明してきた露出制御パラメータの表示形態は、デジタルカメラ１００をリモート操作する場合に対しても適用可能である。
【０１３６】
図２０は、デジタルカメラ１００と無線又は有線により通信する通信部を備えるリモートコントローラ２０００を示す図である。ユーザは、リモートコントローラ２０００の通信部を介して、デジタルカメラ１００の露出制御パラメータを設定（変更）することができる。
【０１３７】
リモートコントローラ２０００のディスプレイには、測光値表示画面２００１が表示される。露出パラメータ表示２００２は、測光値表示画面２００１から露出パラメータ表示を抜き出したものであり、その内容は図４の露出パラメータ表示４０２と同じである。同様に、露出パラメータ表示２００３〜２００９も、図４の露出パラメータ表示４０３〜４０９と同じである。
【０１３８】
以上説明した実施形態によれば、デジタルカメラ１００は、１／ｎ段ステップで設定された露出制御パラメータの設定値を、１段ステップでの数値と、１段未満の段数を示す段数表現とで表示する。例えば、「Ｆ１１  １／８」との表示のうち、「１１」の部分が１段ステップでの数値であり、「１／８」の部分が段数表現である。ここで、１／ｎ段ステップで設定された露出制御パラメータの設定値として表示される１段ステップでの数値の部分は、１段ステップで設定可能な値のうち、設定された設定値以下で最も近い値である。例えば、「Ｆ１１  １／８」との表示のうち、「１１」は、１段ステップで設定可能なＦ値（図１１参照）のうち、設定された設定値である「Ｆ１１  １／８」以下で最も近い値である。言い換えれば、１／ｎ段ステップで設定された露出制御パラメータの設定値のうちの１段未満の部分を段数表現により表示し、残りの１段ステップの部分を露出制御パラメータの値として表示する。これにより、ユーザが設定値をより直感的に把握することが可能となる。ここで、一般的にはｎは８以上の整数であるが、ｎが２以上の７以下の整数の場合にも本実施形態は有効である。
【０１３９】
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【０１４０】
また、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【０１４１】
また、上述した実施形態においては、本発明をデジタルカメラ１００に適用した場合を例にして説明したが、これはこの例に限定されず露出制御パラメータを設定可能な電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【０１４２】
また、撮像装置本体に限らず、有線又は無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線又は無線通信を介して受信して制御装置側で表示できるようにしてもよい。
【０１４３】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１４４】
２２…撮像部、２８…表示部、４１…ファインダー内表示部、５０…システム制御部、５２…システムメモリ、５６…不揮発性メモリ、７０…操作部、１００…デジタルカメラ、１１０…レンズ表示部、１５０…レンズユニット
【図１】
2019193229.tif 000003
【図２Ａ】
2019193229.tif 000004
【図２Ｂ】
2019193229.tif 000005
【図３Ａ】
2019193229.tif 000006
【図３Ｂ】
2019193229.tif 000007
【図３Ｃ】
2019193229.tif 000008
【図４】
2019193229.tif 000009
【図５】
2019193229.tif 000010
【図６】
2019193229.tif 000011
【図７】
2019193229.tif 000012
【図８Ａ】
2019193229.tif 000013
【図８Ｂ】
2019193229.tif 000014
【図９】
2019193229.tif 000015
【図１０】
2019193229.tif 000016
【図１１】
2019193229.tif 000017
【図１２】
2019193229.tif 000018
【図１３】
2019193229.tif 000019
【図１４】
2019193229.tif 000020
【図１５Ａ】
2019193229.tif 000021
【図１５Ｂ】
2019193229.tif 000022
【図１６】
2019193229.tif 000023
【図１７】
2019193229.tif 000024
【図１８】
2019193229.tif 000025
【図１９】
2019193229.tif 000026
【図２０】
2019193229.tif 000027